(57)【要約】  本発明は、抄紙工程のドライパートにおけるピッチ汚染を防止する汚染防止剤組成物であって、下記式（１）で表されるポリシロキサン化合物を含み、ポリシロキサン化合物１分子あたりのアミノ変性基の個数が０．５〜５個である汚染防止剤組成物である。［式（１）中、置換基Ｒ１はメチル基又は下記式（２）で表されるアミノ変性基を示し、シロキサン単位の繰り返し数ｎは５０〜１０００の整数を示す。式（２）中、置換基Ｒ２及び置換基Ｒ３はそれぞれ独立して、炭素数が１〜６のアルキレン基を示し、アミノアルキレン単位の繰り返し数ｍは０〜２の整数を示す。］【化１】
2012168986.tif 000016
【化２】
2012168986.tif 000017
2012168986.tif 000002
【特許請求の範囲】
【請求項１】
抄紙工程のドライパートにおけるピッチ汚染を防止する汚染防止剤組成物であって、
下記式（１）で表されるポリシロキサン化合物を含み、
前記ポリシロキサン化合物１分子あたりのアミノ変性基の個数が０．５〜５個である汚染防止剤組成物。
【化１】
2012168986.tif 000014
［式（１）中、置換基Ｒ１はメチル基又は下記式（２）で表されるアミノ変性基を示し、シロキサン単位の繰り返し数ｎは５０〜１０００の整数を示す。
【化２】
2012168986.tif 000015
式（２）中、置換基Ｒ２及び置換基Ｒ３はそれぞれ独立して、炭素数が１〜６のアルキレン基を示し、アミノアルキレン単位の繰り返し数ｍは０〜２の整数を示す。］
【請求項２】
前記式（２）で表されるアミノ変性基におけるアミノアルキレン単位の繰り返し数ｍが１である請求項１記載の汚染防止剤組成物。
【請求項３】
前記式（２）で表されるアミノ変性基における置換基Ｒ２及び置換基Ｒ３がそれぞれ独立して、エチレン基又はプロピレン基である請求項１又は２に記載の汚染防止剤組成物。
【請求項４】
前記式（２）で表されるアミノ変性基における置換基Ｒ２がプロピレン基であり、置換基Ｒ３がエチレン基である請求項１又は２に記載の汚染防止剤組成物。
【請求項５】
前記式（１）で表されるポリシロキサン化合物におけるシロキサン単位の繰り返し数ｎが１００〜８００の整数である請求項１〜４のいずれか１項に記載の汚染防止剤組成物。
【請求項６】
前記ポリシロキサン化合物１分子あたりのアミノ変性基の個数が０．５〜３個である請求項１〜５のいずれか１項に記載の汚染防止剤組成物。
【発明の詳細な説明】
【技術分野】
【０００１】
本発明は、汚染防止剤組成物に関し、更に詳しくは、ドライパートにおけるピッチ汚染を十分に防止できる汚染防止剤組成物に関する。
【背景技術】
【０００２】
紙を製造するための抄紙工程は、一般に水中にパルプが分散された液を抄紙用の網（ワイヤー）に載せ、余分な水を自然落下させることにより湿紙とするワイヤーパートと、湿紙を一対のプレスロール間に通し、フェルトを介してプレスロールで押圧することにより、湿紙中の水分をフェルトに移行させ、これにより湿紙を脱水するプレスパートと、プレスパートを通過した湿紙を、加熱されたシリンダに接触させることで乾燥させ、紙とするドライパートと、紙をスプールと呼ばれる棒に巻き取るリールパートと、を有する。【０００３】
ところで、上記ドライパートにおいては、シリンダ、カンバス、カレンダーロール、ブレーカースタックロール等（以下これらを総称して「ドライパート部位」という。）の表面にピッチが付着する問題がある。これらにピッチが付着すると、紙が汚染され、歩留まりが大きく低下する。【０００４】
これに対し、ピッチの付着を防止する汚れ付着防止剤が知られている（例えば、特許文献１参照）。かかる汚れ付着防止剤は、粘度が異なるシリコーンオイルと、フッ素系界面活性剤を含む組成となっている。【０００５】
また、抄紙機に対して供給付与され、側鎖型変性シリコーンオイル又は側鎖両末端型変性シリコーンオイルを主成分とする抄紙機用汚染防止剤組成物が知られている（特許文献２参照）。かかる汚染防止剤組成物において、側鎖型変性シリコーンオイルは、側鎖がアミノ基又はエポキシ基で置換されている。
【先行技術文献】
【特許文献】
【０００６】
【特許文献１】特開平７−２９２３８２号公報
【特許文献２】特許第３３８８４５０号公報
【発明の概要】
【発明が解決しようとする課題】
【０００７】
しかしながら、特許文献１記載の汚れ付着防止剤においては、混合するシリコーンオイルの粘度が高すぎ、且つシリコーンオイル自体の粘着性によりドライパート部位へのピッチの付着を十分に防止できない。【０００８】
また、上記特許文献２記載の汚染防止剤組成物は、抄紙機のロール等に対する定着性が高く、付与した直後からロール等に離型・撥水性を与えることができるものの、アミノ変性基の構造やポリシロキサン化合物１分子あたりのアミノ変性基の個数によっては、ピッチの付着を十分に防止できない。【０００９】
本発明は上記事情に鑑みてなされたものであり、ドライパート部位へのピッチの付着を十分に防止できる汚染防止剤組成物を提供することを目的とする。
【課題を解決するための手段】
【００１０】
本発明者等は、上記課題を解決するため鋭意検討したところ、所定の構造を有するアミノ変性基を所定量有するポリシロキサン化合物を用いることにより、上記課題を解決し得ることを見出し、本発明を完成させるに至った。【００１１】
本発明は、（１）抄紙工程のドライパートにおけるピッチ汚染を防止する汚染防止剤組成物であって、下記式（１）で表されるポリシロキサン化合物を含み、ポリシロキサン化合物１分子あたりのアミノ変性基の個数が０．５〜５個である汚染防止剤組成物に存する。
【化１】
2012168986.tif 000003
［式（１）中、置換基Ｒ１はメチル基又は下記式（２）で表されるアミノ変性基を示し、シロキサン単位の繰り返し数ｎは５０〜１０００の整数を示す。
【化２】
2012168986.tif 000004
式（２）中、置換基Ｒ２及び置換基Ｒ３はそれぞれ独立して、炭素数が１〜６のアルキレン基を示し、アミノアルキレン単位の繰り返し数ｍは０〜２の整数を示す。］【００１２】
本発明は、（２）式（２）で表されるアミノ変性基におけるアミノアルキレン単位の繰り返し数ｍが１である上記（１）記載の汚染防止剤組成物に存する。【００１３】
本発明は、（３）式（２）で表されるアミノ変性基における置換基Ｒ２及び置換基Ｒ３がそれぞれ独立して、エチレン基又はプロピレン基である上記（１）又は（２）に記載の汚染防止剤組成物に存する。【００１４】
本発明は、（４）式（２）で表されるアミノ変性基における置換基Ｒ２がプロピレン基であり、置換基Ｒ３がエチレン基である上記（１）又は（２）に記載の汚染防止剤組成物に存する。【００１５】
本発明は、（５）式（１）で表されるポリシロキサン化合物におけるシロキサン単位の繰り返し数ｎが１００〜８００の整数である上記（１）〜（４）のいずれか１つに記載の汚染防止剤組成物に存する。【００１６】
本発明は、（６）ポリシロキサン化合物１分子あたりのアミノ変性基の個数が０．５〜３個である上記（１）〜（５）のいずれか１つに記載の汚染防止剤組成物に存する。
【発明の効果】
【００１７】
本発明の汚染防止剤組成物において、１分子あたりのアミノ変性基の個数を０．５〜５個とし、アミノ変性基を式（２）に示す構造とした式（１）に示すポリシロキサン化合物は、ドライパート部位に対して皮膜を形成し、且つピッチを分散させる機能を発揮する。このため、該ポリシロキサン化合物を含む汚染防止剤組成物は、ドライパート部位に付与することにより、ドライパート部位へのピッチの付着を十分に防止できる。なお、本願明細書において、ピッチとは、抄紙工程において生じる粘着性の固体や紙粉の集合体等が含まれる。【００１８】
特に、式（１）に示すポリシロキサン化合物のシロキサン単位の繰り返し数ｎを５０〜１０００の整数とすることで、ドライパート部位に対して皮膜が形成しやすくなり、式（２）に示すアミノ変性基における置換基Ｒ２及び置換基Ｒ３をそれぞれ独立して、炭素数が１〜６のアルキレン基とし、アミノアルキレン単位の繰り返し数ｍを０〜２の整数とすることで、ピッチを分散させることが可能となる。【００１９】
本発明の汚染防止剤組成物においては、式（２）で表されるアミノ変性基におけるアミノアルキレン単位の繰り返し数ｍが１である場合、及び／又は、アミノ変性基における置換基Ｒ２及び置換基Ｒ３がそれぞれ独立して、エチレン基又はプロピレン基である場合、ピッチを分散させる効果がより向上する。
【図面の簡単な説明】
【００２０】
【図１】図１は、本発明に係る汚染防止剤組成物を用いるドライパートのドライパート部位を示す概略図である。
【発明を実施するための形態】
【００２１】
以下、必要に応じて図面を参照しつつ、本発明の好適な実施形態について詳細に説明する。なお、上下左右等の位置関係は、特に断らない限り、図面に示す位置関係に基づくものとする。また、図面の寸法比率は図示の比率に限られるものではない。
【００２２】
本実施形態に係る汚染防止剤組成物は、ポリシロキサン化合物と、乳化剤と、水とを含む。
本実施形態に係る汚染防止剤組成物は、ドライパート部位に付与することにより、ドライパート部位に対して皮膜を形成し、且つピッチを分散させる機能を発揮する。このため、該汚染防止剤組成物は、ドライパート部位へのピッチの付着を十分に防止できる。
【００２３】
上記ポリシロキサン化合物は、下記式（１）で表される。
【化３】
2012168986.tif 000005
【００２４】
式（１）で表されるポリシロキサン化合物において、置換基Ｒ１はメチル基又はアミノ変性基である。なお、メチル基とアミノ変性基とは、ポリシロキサン化合物１分子中に混在していてもよい。また、置換基Ｒ１がすべてメチル基のポリシロキサン化合物と、置換基Ｒ１の少なくとも一つがアミノ変性基であるポリシロキサン化合物とを混合して用いてもよい。
【００２５】
アミノ変性基は、下記式（２）で表される。
【化４】
2012168986.tif 000006
【００２６】
ここで、式（２）で表されるアミノ変性基において、置換基Ｒ２及び置換基Ｒ３はそれぞれ独立して、炭素数が１〜６のアルキレン基である。この場合、ピッチを確実に分散することが可能となる。
これらの中でも、アミノ変性基における置換基Ｒ２及び置換基Ｒ３はそれぞれ独立して、エチレン基又はプロピレン基であることが好ましい。炭素鎖を２〜３とすることにより、ピッチを分散させる効果がより向上する。
また、置換基Ｒ２及び置換基Ｒ３は異なるアルキレン基であることが好ましく、具体的には、置換基Ｒ２がプロピレン基であり、置換基Ｒ３がエチレン基であることが特に好ましい。
【００２７】
式（２）で表されるアミノ変性基において、アミノアルキレン単位の繰り返し数ｍは０〜２の整数である。なお、アミノアルキレン単位の繰り返し数ｍが０である場合、そのアミノ変性基は、置換基Ｒ２を有しない。
アミノアルキレン単位の繰り返し数ｍが、３を超えると、ピッチを分散させる効果が不十分となる。
これらの中でも、アミノ変性基におけるアミノアルキレン単位の繰り返し数ｍは、１であることが好ましい。
【００２８】
汚染防止剤組成物において、ポリシロキサン化合物１分子あたりのアミノ変性基の個数は、０．５〜５個であり、０．５〜３個であることが好ましい。
アミノ変性基の個数が０．５個未満であると、ピッチを分散する効果が得られない。また、アミノ変性基の個数が５個を超えると、イオン性が高くなり、ドライパート部位の表面上に過剰に蓄積するため、表面のべとつきが大きくなり、かえってピッチが付着しやすくなる欠点がある。
【００２９】
ここで、本明細書において、「１分子あたりのアミノ変性基の個数」とは、１分子に含まれるアミノ変性基の平均個数を意味し、具体的には、アミノ変性基の総数を分子数で割った値である。すなわち、１分子あたりのアミノ変性基の個数が０．１である場合、１０分子に含まれるアミノ変性基の総数が１個であることを意味する。
【００３０】
式（１）で表されるポリシロキサン化合物において、シロキサン単位の繰り返し数ｎは、５０〜１０００の整数であり、１００〜８００の整数であることが好ましい。
シロキサン単位の繰り返し数ｎが、５０未満であると、ドライパート部位に対する皮膜の形成が不十分となり、シロキサン単位の繰り返し数ｎが、１０００を超えると、粘度が高いポリシロキサン化合物が、ドライパート部位表面に粘着性を帯びて付着するので、かえってピッチが付着しやすくなる欠点がある。
【００３１】
ポリシロキサン化合物の２５℃における動粘度は、２００００ｍｍ２／ｓ以下であることが好ましく、１００００ｍｍ２／ｓ以下であることが更に好ましい。
動粘度が２００００ｍｍ２／ｓを超えると、動粘度が上記範囲内にある場合と比較して、ピッチを十分に分散できなくなる。また、べとつきが大きくなり、かえってピッチが付着しやすくなる欠点がある。
【００３２】
本実施形態に係る汚染防止剤組成物においては、乳化剤が含まれる。
乳化剤を含むことにより、ポリシロキサン化合物の乳化安定性が向上する。
【００３３】
乳化剤としては、ポリシロキサン化合物を乳化させる界面活性剤が用いられる。
これらの中でも、乳化剤は、ノニオン界面活性剤であることが好ましく、特に、ポリエチレンデシルエーテル、ポリエチレンセチルエーテル又はポリエチレンステアリルエーテルであることがより好ましい。
【００３４】
乳化剤がこれらの化合物である場合、ポリシロキサン化合物の乳化安定性を向上させるだけでなく、紙の色抜けを抑制することができる。
ちなみに、段ボール等の着色された紙を抄紙機にて製造する場合、アルキル基が低分子のポリエチレンアルキルエーテルを乳化剤として用いると、紙の色を脱落させ、紙の色が斑になる欠点がある。しかし、アルキル基がデシル基、セチル基、ステアリル基のポリエチレンアルキルエーテルを乳化剤として用いると、色抜けが抑制される。
【００３５】
汚染防止剤組成物において、ポリシロキサン化合物の配合割合は、ピッチ付着防止の観点から、０．１〜４０質量％であることが好ましく、２．０〜２０質量％であることがより好ましい。
ポリシロキサン化合物の配合割合が０．１質量％未満であると、ポリシロキサン化合物の配合割合が上記範囲内にある場合と比較して、汚染防止剤組成物中の水分が蒸発する前に、汚染防止剤組成物自体が湿紙に吸収されてしまい、皮膜を十分に形成できない場合がある。一方で、ポリシロキサン化合物の配合割合が４０質量％を超えると、ポリシロキサン化合物の配合割合が上記範囲内にある場合と比較して、汚染防止剤組成物自体の粘度が大きくなり、ドライパート部位の表面上に均一に散布しにくく、また、タック性が大きくなり、紙面が毟れる恐れがある。
【００３６】
ポリシロキサン化合物１質量部に対する乳化剤の配合割合は、０．０５〜０．４質量部であることが好ましく、０．１〜０．２質量部であることがより好ましい。
乳化剤の配合割合が０．０５質量部未満であると、乳化剤の配合割合が上記範囲内にある場合と比較して、乳化安定性が不十分となる場合があり、乳化剤の配合割合が０．４質量部を超えると、乳化剤の配合割合が上記範囲内にある場合と比較して、紙の色抜けの度合いが大きくなる欠点がある。
【００３７】
本実施形態に係る汚染防止剤組成物には、これら以外にも、キレート剤、ｐＨ調整剤、防腐剤、粘度調整剤、潤滑剤、湿潤剤、ダスティング防止剤、離型剤、接着剤、表面修正剤、洗浄剤、紙力増強剤、サイズ剤、歩留向上剤、撥水剤、撥油剤、防滑剤、滑剤、柔軟剤等の添加剤が含まれていてもよい。
【００３８】
ここで、上記潤滑剤としては、ギアー油、シリンダ油、タービン油、スピンドル油等の鉱油、ヤシ油、アマニ油、ヒマシ油、ナタネ油、コーン油等の植物油、流動パラフィン、イソパラフィン等のパラフィン類、ポリイソブチレン、ポリブテン、マレイン化ポリブテン、ポリエチレンワックス、マイクロワックス等の合成油等が挙げられる。
【００３９】
次に、本実施形態に係る汚染防止剤組成物の製造方法について説明する。
汚染防止剤組成物は、ポリシロキサン化合物と、乳化剤とを、水に加えて撹拌することにより、ポリシロキサン化合物が乳化された汚染防止剤組成物が製造される。
【００４０】
かかる撹拌には、ミキサー、ホモジナイザー、ミル等が適宜用いられる。
【００４１】
次に、ドライパートにおける汚染防止剤組成物の使用方法について説明する。
図１は、本発明に係る汚染防止剤組成物を用いるドライパートのドライパート部位を示す概略図である。
図１に示すように、汚染防止剤組成物は、ドライパートＤで用いられる。
【００４２】
ドライパートＤは、紙体Ｗと、該紙体Ｗを加熱乾燥するための複数の円筒状のシリンダＤ１，Ｄ２，Ｄ３，Ｄ４，Ｄ５，Ｄ６，Ｄ７及びＤ８（以下「Ｄ１〜Ｄ８」という。）と、紙体をシリンダＤ１〜Ｄ８に押し付けるカンバスＫ１，Ｋ２と、カンバスＫ１，Ｋ２を案内するカンバスロールＫＲと、乾燥した紙体Ｗの平滑性と紙厚を緩やかに調整するブレーカースタックロールＢと、乾燥した紙体Ｗの平滑性と紙厚を調整するカレンダーロールＣと、を備える。
【００４３】
ドライパートＤにおいては、回転するシリンダＤ１〜Ｄ８の表面に紙体ＷがカンバスＫ１，Ｋ２により圧接される。これにより、紙体ＷがシリンダＤ１〜Ｄ８に付着し、同時に加熱乾燥されるようになっている。
その後、紙体Ｗは、ブレーカースタックロールＢに挟持され、次いで、紙体Ｗは、カレンダーロールＣにより高密度化される。
【００４４】
上記汚染防止剤組成物の使用方法においては、図１に示すように、ドライパートＤのシリンダＤ１〜Ｄ８、カンバスＫ１，Ｋ２、ブレーカースタックロールＢ、カレンダーロールＣに対して、それぞれ矢印Ａの位置で汚染防止剤組成物が直接付与される。
ここで、汚染防止剤組成物の付与方法は特に限定されず、例えば、散布ノズル等を用いて液状のシャワー方式や霧状の噴霧方式等が用いられる。このとき、散布ノズルを紙幅方向にスライドさせながら、汚染防止剤組成物を吹きつけてもよい。汚染防止剤組成物をドライパートに吹き付けることにより、ピッチ汚染が防止される。
【００４５】
このとき、汚染防止剤組成物の通過する紙の単位面積あたりの散布量は、ポリシロキサン化合物の固形分量として、１０μｇ〜１００００μｇ／ｍ２であることが好ましく、３０μｇ〜１０００μｇ／ｍ２あることがより好ましい。
散布量が１０μｇ／ｍ２未満であると、散布量が上記範囲内にある場合と比較して、汚染防止剤組成物が十分にドライパート部位の表面に付着せず、ピッチの付着を十分に抑制できない傾向にある。また、散布量が１００００μｇ／ｍ２を超えると、散布量が上記範囲内にある場合と比較して、余剰分がドライパート部位の表面上に蓄積し、ピッチを巻き込んで汚れを増大させたり、カンバスの目を詰まらせてしまう虞がある。
【００４６】
以上、本発明の好適な実施形態について説明したが、本発明は上記実施形態に限定されるものではない。
【００４７】
例えば、本実施形態に係る汚染防止剤組成物は、乳化剤を含んでいるが、ポリシロキサン化合物が水溶性であれば、必ずしも含める必要はない。
【００４８】
本実施形態に係る汚染防止在組成物において、ポリシロキサン化合物は、メチル基を有しているが、メチル基のいくつかが、エポキシ変性基、アルキル基（メチル基を除く）、ポリエーテル基、カルボキシル基又はアラルキル基に置換されていてもよい。これらは、１分子内において、１種類が存在していてもよく、複数種類が混在していてもよい。
なお、エポキシ変性基としては、エポキシアルキル基又はエポキシポリエーテル基が挙げられる。
【００４９】
本実施形態に係る汚染防止剤組成物においては、汚染防止剤組成物をドライパートにおけるドライパート部位に付与しているが、ドライパートのみならず、プレスパートやリールパートに応用することも可能である。
【実施例】
【００５０】
以下、実施例及び参考例に基づいて本発明をより具体的に説明するが、本発明は以下の実施例に限定されるものではない。【００５１】
（実施例１〜１０）
下記式（１）で表されるポリシロキサン化合物１０質量％と、ポリエチレンデシルエーテル（乳化剤）２．０質量％と、を水に加え、ミキサーで撹拌することにより、汚染防止剤組成物を得た。
ポリシロキサン化合物におけるアミノ変性基としては、下記式（２）で表される置換基を用いた。なお、アミノ変性基以外のＲ１は、メチル基である。
用いたアミノ変性基を表１に示す。【００５２】
【化５】
2012168986.tif 000007
【００５３】
【化６】
2012168986.tif 000008
【００５４】
（比較例１）
アミノ変性基として、ポリエーテルアミノ基を用いたこと以外は、実施例１と同様にして、汚染防止剤組成物を得た。【００５５】
（比較例２）
アミノ変性基として、ポリエポキシアミノ基を用いたこと以外は、実施例１と同様にして、汚染防止剤組成物を得た。【００５６】
（表１）
2012168986.tif 000009
【００５７】
（評価方法）
実施例１〜１０及び比較例１，２で得られた汚染防止剤組成物に対し、後述する、シリンダ評価１、シリンダ評価２、カンバス評価１、カンバス評価２を行った。
シリンダ評価１、シリンダ評価２においては、式（１）で表されるポリシロキサン化合物のシロキサン単位の繰り返し数ｎを３００とし、ポリシロキサン化合物の１分子あたりのアミノ変性基の個数を１．１個、２５℃における動粘度を１０００ｍｍ２／ｓに調整して評価を行った。
カンバス評価１、カンバス評価２においては、式（１）で表されるポリシロキサン化合物のシロキサン単位の繰り返し数ｎを１３０とし、ポリシロキサン化合物の１分子あたりのアミノ変性基の個数を１．１個、２５℃における動粘度を２５０ｍｍ２／ｓに調整して評価を行った。【００５８】
１．シリンダ評価１
図１に示す円筒状ドライヤ（ドライパート、株式会社小林製作所製）のシリンダＤ１に、実施例１〜１０及び比較例１，２の汚染防止剤組成物を、５ｍｌ／ｍｉｎ散布し、８時間稼動させた後のシリンダＤ１下に落下したピッチの重量を測定した。得られた結果を表２に示す。【００５９】
２．シリンダ評価２
図１に示す円筒状ドライヤのシリンダＤ３の表面に、刃先が接するようにドクターブレードを設けた。これにより、円筒状ドライヤを稼動させるとシリンダＤ３に付着したピッチがドクターブレードの刃先に掻き集められることになる。
そして、シリンダＤ１に、実施例１〜１０及び比較例１，２の汚染防止剤組成物を、５ｍｌ／ｍｉｎ散布し、８時間稼動させた後のドクターブレードの刃先に蓄積したピッチの重量を測定した。得られた結果を表２に示す。【００６０】
３．カンバス評価１
図１に示す円筒状ドライヤのカンバスＫ１に、実施例１〜１０及び比較例１，２の汚染防止剤組成物を、５ｍｌ／ｍｉｎ散布し、１週間稼動させた。
そして、カンバスＫ１の１ｍ２あたりにおける直径５ｍｍ以上のピッチの付着数を計測した。得られた結果を表２に示す。【００６１】
４．カンバス評価２
図１に示す円筒状ドライヤのカンバスＫ１に、実施例１〜１０及び比較例１，２の汚染防止剤組成物を、５ｍｌ／ｍｉｎ散布し、１週間稼動させた。
そして、カンバスＫ１を案内するアウトロールＫＲ１に付着したピッチを掻き取り、ピッチの重量を測定した。得られた結果を表２に示す。【００６２】
（表２）
2012168986.tif 000010
【００６３】
（実施例１１〜２２及び比較例３〜８）
上記式（１）で表されるポリシロキサン化合物１０質量％と、ポリエチレンデシルエーテル（乳化剤）２．０質量％と、を水に加え、ミキサーで撹拌することにより、汚染防止剤組成物を得た。
ポリシロキサン化合物におけるアミノ変性基としては、下記式（３）で表される置換基を用いた。なお、アミノ変性基以外のＲ１は、メチル基である。
また、各実施例及び比較例におけるポリシロキサン化合物１分子あたりのアミノ変性基の個数と、上記式（１）で表されるポリシロキサン化合物のシロキサン単位の繰り返し数ｎと、を表３に示す。【００６４】
【化７】
2012168986.tif 000011
【００６５】
（表３）
2012168986.tif 000012
【００６６】
（評価方法）
実施例１１〜２２及び比較例３〜８で得られた汚染防止剤組成物に対し、上述した、シリンダ評価１、シリンダ評価２、カンバス評価１、カンバス評価２を行った。
得られた結果を表４に示す。【００６７】
（表４）
2012168986.tif 000013
【００６８】
これらのことから、本発明の汚染防止剤組成物によれば、ドライパート部位へのピッチの付着を十分に防止できることが確認された。
【産業上の利用可能性】
【００６９】
本発明の汚染防止剤組成物は、紙の抄造の際に、ドライパート部位に付与して用いられる。本発明の汚染防止剤組成物によれば、ドライパート部位へのピッチの付着を防止することができるので、紙の製造における歩留まりを極めて向上させることができる。
【符号の説明】
【００７０】
Ｂ・・・ブレーカースタックロール
Ｃ・・・カレンダーロール
Ｄ・・・ドライパート
Ｄ１，Ｄ２，Ｄ３，Ｄ４，Ｄ５，Ｄ６，Ｄ７，Ｄ８・・・シリンダ
Ｋ１，Ｋ２・・・カンバス
ＫＲ・・・カンバスロール
ＫＲ１・・・アウトロール
Ｗ・・・紙体
【図１】
2012168986.tif 000018
【手続補正書】
【提出日】平成23年10月24日(2011.10.24)
【手続補正１】
【補正対象書類名】特許請求の範囲
【補正対象項目名】全文
【補正方法】変更
【補正の内容】
【特許請求の範囲】
【請求項１】
抄紙工程のドライパートにおけるピッチ汚染を防止する汚染防止剤組成物であって、
下記式（１）で表されるポリシロキサン化合物を含み、
前記ポリシロキサン化合物１分子辺りのアミノ変性基の個数が０．５〜５個であり、
前記ドライパート部位に対して皮膜を形成し、且つピッチを分散させる汚染防止剤組成物。
【化１】
2012168986.tif 000019
［式（１）中、置換基Ｒ１はメチル基又は下記式（２）で表されるアミノ変性基を示し、シロキサン単位の繰り返し数ｎは５０〜１０００の整数を示す。
【化２】
2012168986.tif 000020
式（２）中、置換基Ｒ２がプロピレン基であり、置換基Ｒ３がエチレン基であり、アミノアルキレン単位の繰り返し数ｍが１である。］
【請求項２】
乳化剤を更に含み、
該乳化剤が、ポリエチレンデシルエーテル、ポリエチレンセチルエーテル又はポリエチレンステアリルエーテルである請求項１記載の汚染防止剤組成物。
【請求項３】
前記ポリシロキサン化合物の配合割合が、０．１〜４０質量％であり、
前記ポリシロキサン化合物１質量部に対する前記乳化剤の配合割合が、０．０５〜０．４質量部である請求項２記載の汚染防止剤組成物。
【請求項４】
前記ドライパートに散布ノズルを用いて吹きつけられ、
通過する紙の単位面積辺りの散布量が、ポリシロキサン化合物の固形分量として、１０μｇ〜１００００μｇ／ｍ２である請求項１〜３のいずれか１項に記載の汚染防止剤組成物。
【請求項５】
前記式（１）で表されるポリシロキサン化合物におけるシロキサン単位の繰り返し数ｎが１００〜８００の整数である請求項１〜４のいずれか１項に記載の汚染防止剤組成物。
【請求項６】
前記ポリシロキサン化合物１分子辺りのアミノ変性基の個数が０．５〜３個である請求項１〜５のいずれか１項に記載の汚染防止剤組成物。
【手続補正２】
【補正対象書類名】明細書
【補正対象項目名】００１１
【補正方法】変更
【補正の内容】
【００１１】
本発明は、（１）抄紙工程のドライパートにおけるピッチ汚染を防止する汚染防止剤組成物であって、下記式（１）で表されるポリシロキサン化合物を含み、ポリシロキサン化合物１分子辺りのアミノ変性基の個数が０．５〜５個であり、ドライパート部位に対して皮膜を形成し、且つピッチを分散させる汚染防止剤組成物に存する。
【化１】
2012168986.tif 000021
［式（１）中、置換基Ｒ１はメチル基又は下記式（２）で表されるアミノ変性基を示し、シロキサン単位の繰り返し数ｎは５０〜１０００の整数を示す。
【化２】
2012168986.tif 000022
式（２）中、置換基Ｒ２がプロピレン基であり、置換基Ｒ３がエチレン基であり、アミノアルキレン単位の繰り返し数ｍが１である。］
【手続補正３】
【補正対象書類名】明細書
【補正対象項目名】００１２
【補正方法】変更
【補正の内容】
【００１２】
本発明は、（２）乳化剤を更に含み、該乳化剤が、ポリエチレンデシルエーテル、ポリエチレンセチルエーテル又はポリエチレンステアリルエーテルである上記（１）記載の汚染防止剤組成物に存する。
【手続補正４】
【補正対象書類名】明細書
【補正対象項目名】００１３
【補正方法】変更
【補正の内容】
【００１３】
本発明は、（３）ポリシロキサン化合物の配合割合が、０．１〜４０質量％であり、ポリシロキサン化合物１質量部に対する乳化剤の配合割合が、０．０５〜０．４質量部である上記（２）に記載の汚染防止剤組成物に存する。
【手続補正５】
【補正対象書類名】明細書
【補正対象項目名】００１４
【補正方法】変更
【補正の内容】
【００１４】
本発明は、（４）ドライパートに散布ノズルを用いて吹きつけられ、通過する紙の単位面積辺りの散布量が、ポリシロキサン化合物の固形分量として、１０μｇ〜１００００μｇ／ｍ２である上記（１）〜（３）のいずれか１つに記載の汚染防止剤組成物に存する。
【国際調査報告】
2012168986.tif 000023
2012168986.tif 000024
2012168986.tif 000025
2012168986.tif 000026